(57)【特許請求の範囲】
【請求項１】
複数の記録層を有する情報記録媒体にデータを書き込む情報記録方法において、
複数の前記記録層の境界近傍領域を空けて複数の前記記録層にまたがってユーザデータを書き込むステップと、
前記ユーザデータの書き込み後に前記境界近傍領域に層が切り替わることを示すデータを書き込むステップと、
を具備する情報記録方法。
【請求項２】
前記情報記録媒体はパラレルトラックパス（ＰＴＰ）方式で記録される情報記録媒体であり、
前記境界近傍領域は、前記ユーザデータが書き込まれた第１記録層のリードアウト領域（LEAD-OUT ZONE）及びその第１記録層にまたがって前記ユーザデータが書き込まれた第２記録層のリードイン領域（LEAD-IN ZONE）であり、
前記層が切り替わることを示すデータは、前記第１記録層のリードアウト領域に書き込まれるリードアウト（LEAD-OUT）データ及び前記第２記録層のリードイン領域に書き込まれるリードイン（LEAD-IN）データである請求項１記載の情報記録方法。
【請求項３】
前記情報記録媒体はオポジットトラックパス（ＯＴＰ）方式で記録される情報記録媒体であり、
前記境界近傍領域は、前記ユーザデータが書き込まれた第１記録層のミドル領域（MIDDLE ZONE）及びその第１記録層にまたがって前記ユーザデータが書き込まれた第２記録層のミドル領域（MIDDLE ZONE）であり、
前記層が切り替わることを示すデータは、前記第１記録層のミドル領域に書き込まれるミドル（MIDDLE）データ及び前記第２記録層のミドル領域に書き込まれるミドル（MIDDLE）データである請求項１記載の情報記録方法。
【請求項４】
前記ユーザデータを書き込むステップでは、所定の記録層に対する前記ユーザデータの書き込み後に、次の書き込み対象である記録層のデータ領域（DATA ZONE）の直前にダミーデータを書き込む請求項１、２又は３記載の情報記録方法。
【請求項５】
前記ユーザデータを書き込むステップでは、所定の記録層に対する前記ユーザデータの書き込み後に、次の書き込み対象である記録層のデータ領域（DATA ZONE）の先頭にダミーデータを書き込む請求項１、２又は３記載の情報記録方法。
【請求項６】
前記ユーザデータを書き込むステップでは、複数の記録層に対する前記ユーザデータの書き込み前に、書き込み対象である記録層のデータ領域（DATA ZONE）の直前にダミーデータを書き込む請求項１、２又は３記載の情報記録方法。
【請求項７】
前記ユーザデータを書き込むステップでは、複数の記録層に対する前記ユーザデータの書き込み前に、書き込み対象である記録層のデータ領域（DATA ZONE）の先頭にダミーデータを書き込む請求項１、２又は３記載の情報記録方法。
【請求項８】
複数の記録層を有する情報記録媒体にデータを書き込む情報記録装置において、
複数の前記記録層の境界近傍領域を空けて複数の前記記録層にまたがってユーザデータを書き込む手段と、
前記ユーザデータの書き込み後に前記境界近傍領域に層が切り替わることを示すデータを書き込む手段と、
を具備する情報記録装置。
【請求項９】
前記情報記録媒体はパラレルトラックパス（ＰＴＰ）方式で記録される情報記録媒体であり、
前記境界近傍領域は、前記ユーザデータが書き込まれた第１記録層のリードアウト領域（LEAD-OUT ZONE）及びその第１記録層にまたがって前記ユーザデータが書き込まれた第２記録層のリードイン領域（LEAD-IN ZONE）であり、
前記層が切り替わることを示すデータは、前記第１記録層のリードアウト領域に書き込まれるリードアウト（LEAD-OUT）データ及び前記第２記録層のリードイン領域に書き込まれるリードイン（LEAD-IN）データである請求項８記載の情報記録装置。
【請求項１０】
前記情報記録媒体はオポジットトラックパス（ＯＴＰ）方式で記録される情報記録媒体であり、
前記境界近傍領域は、前記ユーザデータが書き込まれた第１記録層のミドル領域（MIDDLE ZONE）及びその第１記録層にまたがって前記ユーザデータが書き込まれた第２記録層のミドル領域（MIDDLE ZONE）であり、
前記層が切り替わることを示すデータは、前記第１記録層のミドル領域に書き込まれるミドル（MIDDLE）データ及び前記第２記録層のミドル領域に書き込まれるミドル（MIDDLE）データである請求項８記載の情報記録装置。
【請求項１１】
前記ユーザデータを書き込む手段では、所定の記録層に対する前記ユーザデータの書き込み後に、次の書き込み対象である記録層のデータ領域（DATA ZONE）の直前にダミーデータを書き込む請求項８、９又は１０記載の情報記録装置。
【請求項１２】
前記ユーザデータを書き込む手段では、所定の記録層に対する前記ユーザデータの書き込み後に、次の書き込み対象である記録層のデータ領域（DATA ZONE）の先頭にダミーデータを書き込む請求項８、９又は１０記載の情報記録装置。
【請求項１３】
前記ユーザデータを書き込む手段では、複数の記録層に対する前記ユーザデータの書き込み前に、書き込み対象である記録層のデータ領域（DATA ZONE）の直前にダミーデータを書き込む請求項８、９又は１０記載の情報記録装置。
【請求項１４】
前記ユーザデータを書き込む手段では、複数の記録層に対する前記ユーザデータの書き込み前に、書き込み対象である記録層のデータ領域（DATA ZONE）の先頭にダミーデータを書き込む請求項８、９又は１０記載の情報記録装置。
【請求項１５】
複数の記録層を有する情報記録媒体にデータを書き込む情報記録装置が備えるコンピュータにインストールされ、前記コンピュータに、
複数の前記記録層の境界近傍領域を空けて複数の前記記録層にまたがってユーザデータを書き込む手段と、
前記ユーザデータの書き込み後に前記境界近傍領域に層が切り替わることを示すデータを書き込む手段と、
を実行させるプログラム。
【請求項１６】
前記情報記録媒体はパラレルトラックパス（ＰＴＰ）方式で記録される情報記録媒体であり、
前記境界近傍領域は、前記ユーザデータが書き込まれた第１記録層のリードアウト領域（LEAD-OUT ZONE）及びその第１記録層にまたがって前記ユーザデータが書き込まれた第２記録層のリードイン領域（LEAD-IN ZONE）であり、
前記層が切り替わることを示すデータは、前記第１記録層のリードアウト領域に書き込まれるリードアウト（LEAD-OUT）データ及び前記第２記録層のリードイン領域に書き込まれるリードイン（LEAD-IN）データである請求項１５記載のプログラム。
【請求項１７】
前記情報記録媒体はオポジットトラックパス（ＯＴＰ）方式で記録される情報記録媒体であり、
前記境界近傍領域は、前記ユーザデータが書き込まれた第１記録層のミドル領域（MIDDLE ZONE）及びその第１記録層にまたがって前記ユーザデータが書き込まれた第２記録層のミドル領域（MIDDLE ZONE）であり、
前記層が切り替わることを示すデータは、前記第１記録層のミドル領域に書き込まれるミドル（MIDDLE）データ及び前記第２記録層のミドル領域に書き込まれるミドル（MIDDLE）データである請求項１５記載のプログラム。
【請求項１８】
前記ユーザデータを書き込む手段では、所定の記録層に対する前記ユーザデータの書き込み後に、次の書き込み対象である記録層のデータ領域（DATA ZONE）の直前にダミーデータを書き込む請求項１５、１６又は１７記載のプログラム。
【請求項１９】
前記ユーザデータを書き込む手段では、所定の記録層に対する前記ユーザデータの書き込み後に、次の書き込み対象である記録層のデータ領域（DATA ZONE）の先頭にダミーデータを書き込む請求項１５、１６又は１７記載のプログラム。
【請求項２０】
前記ユーザデータを書き込む手段では、複数の記録層に対する前記ユーザデータの書き込み前に、書き込み対象である記録層のデータ領域（DATA ZONE）の直前にダミーデータを書き込む請求項１５、１６又は１７記載のプログラム。
【請求項２１】
前記ユーザデータを書き込む手段では、複数の記録層に対する前記ユーザデータの書き込み前に、書き込み対象である記録層のデータ領域（DATA ZONE）の先頭にダミーデータを書き込む請求項１５、１６又は１７記載のプログラム。
【請求項２２】
請求項１５ないし２１のいずれか一記載のプログラムが格納されたコンピュータ読取り可能な記憶媒体。
【発明の詳細な説明】
【技術分野】
【０００１】
本発明は、複数の記録層を有する情報記録媒体に対してデータを書き込む情報記録方法、情報記録装置、プログラム及び記憶媒体に関する。
【背景技術】
【０００２】
近年、パーソナルコンピュータ（ＰＣ）は、その機能が向上するに伴い、音楽や映像といったＡＶ（Audio-Visual）情報を取り扱うことが可能になってきている。これらのＡＶ情報は、その情報量が非常に大きいため、情報記録媒体としてＤＶＤ（Digital Versatile Disc）系の光ディスクが注目されるようになり、その低価格化とともに、情報記録再生装置としての光ディスク装置がＰＣの周辺機器の一つとして普及するようになってきている。
【０００３】
ＤＶＤ−ＲＯＭとしては、記録層が１層であるＤＶＤと記録層が２層であるＤＶＤとが存在している。しかし、書き込み可能な記録型のＤＶＤとしては、記録層が１層であるＤＶＤ、例えば、ＤＶＤ＋Ｒ（Recordable）、ＤＶＤ＋ＲＷ（Rewritable）、ＤＶＤ−ＲＡＭ（Random Access Memory）等しか存在しない。そこで、現在、２層の記録層を有する記録型２層ＤＶＤが検討されている。これは、ＤＶＤ−ＲＯＭと同じようにデータを書き込むことで、ＤＶＤ−ＲＯＭと同等の記録容量を有し、かつ、ＤＶＤ−ＲＯＭとの互換性を有するように構成されている。
【０００４】
なお、再生専用型の２層ＤＶＤには、２層目のトラックが１層目のトラックと同じように内周から外周に向かっているパラレルトラックパス方式(Parallel Track Path方式＝ＰＴＰ方式)と２層目のトラックが外周から内周に向かっているオポジットトラックパス方式(Opposite Track Path方式＝ＯＴＰ方式)との２種類のトラック方式がある。
【０００５】
ここで、図１２はＰＴＰ方式による記録型２層ＤＶＤの論理フォーマットを概略的に示す説明図、図１３はＯＴＰ方式による記録型２層ＤＶＤの論理フォーマットを概略的に示す説明図である。なお、図１２及び図１３においては、図中左側が光ディスクの内周側であり、図中右側が光ディスクの外周側である。
【０００６】
図１２に示すように、１層目及び２層目の各記録層には、各々、光ディスクの内周からリードイン領域（LEAD-IN ZONE）、データ領域（DATA ZONE）、リードアウト領域（LEAD-OUT ZONE）が存在する。すなわち、１層目及び２層目の各記録層は、光ディスクの内周から外周に向かってデータが書き込まれる。なお、ＰＴＰ方式では１層目と２層目とのデータ領域が開始するアドレスの半径位置が等しく、例えば、ともに物理アドレス30000Hから始まる。
【０００７】
図１３に示すように、１層目の記録層には光ディスクの内周からリードイン領域（LEAD-IN ZONE）、データ領域（DATA ZONE）、ミドル領域（MIDDLE ZONE）が存在し、２層目の記録層には光ディスクの外周からミドル領域（MIDDLE ZONE）、データ領域（DATA ZONE）、リードアウト領域（LEAD-OUT ZONE）が存在する。すなわち、１層目の記録層には光ディスクの内周から外周に向かってデータが書き込まれ、２層目の記録層には光ディスクの外周から内周に向かってデータが書き込まれる。なお、ＯＴＰ方式では２層目のデータ領域が開始するアドレスの半径位置は１層目のデータ領域が終了するアドレスの半径位置と等しく、２層目のデータ領域開始位置の物理アドレスは１層目のデータ領域終了アドレスをビット反転したアドレスになっている。
【０００８】
このように記録型２層ＤＶＤの論理フォーマットでは、ユーザデータの前後にユーザデータ以外のデータ（例えば、リードイン（LEAD-IN）データ、リードアウト（LEAD-OUT）データやミドル（MIDDLE）データ等）が書き込まれる。
【０００９】
一方、複数の記録層を有する多層光ディスクに書き込むためのデータを予め作成する技術が提案されている。この技術では、予め多層光ディスクに書き込むデータを作成しており、記録層の切り替えの際にユーザデータ以外のデータ（例えば、リードアウトデータ）を書き込む処理を行っている（特許文献１参照）。
【００１０】
【特許文献１】特開２０００−４８５４２公報
【発明の開示】
【発明が解決しようとする課題】
【００１１】
しかしながら、記録型の多層光ディスクにおいては、論理的に複数の層を１つの層として書き込み処理を実行するが、ユーザデータの書き込み途中にユーザデータ以外のデータを書き込むと、記録層に対するユーザデータの書き込み処理を中断してしまう。特に、ビデオ記録のように連続的にユーザデータを書き込む必要がある場合には、途中でユーザデータの書き込み処理を長時間中断することは問題である。
【００１２】
本発明の目的は、記録層に対するユーザデータの書き込み処理の中断を防止することである。
【００１３】
本発明の目的は、記録層に書き込まれたユーザデータを所定のタイミングで読み取ることができるようにすることである。
【課題を解決するための手段】
【００１６】
請求項１記載の発明の情報記録方法は、複数の記録層を有する情報記録媒体にデータを書き込む情報記録方法において、複数の前記記録層の境界近傍領域を空けて複数の前記記録層にまたがってユーザデータを書き込むステップと、前記ユーザデータの書き込み後に前記境界近傍領域に層が切り替わることを示すデータを書き込むステップと、を具備する。
【００１７】
したがって、複数の記録層にまたがって（連続的に）ユーザデータを書き込み、その後に記録層の境界近傍領域に層が切り替わることを示すデータを書き込むことによって、記録層の切り替わりで、層が切り替わることを示すデータが書き込まれずにユーザデータが連続的に書き込まれるため、記録層に対するユーザデータの書き込み処理の中断を防止することが可能になる。
【００１８】
請求項２記載の発明は、請求項１記載の情報記録方法において、前記情報記録媒体はパラレルトラックパス（ＰＴＰ）方式で記録される情報記録媒体であり、前記境界近傍領域は、前記ユーザデータが書き込まれた第１記録層のリードアウト領域（LEAD-OUT ZONE）及びその第１記録層にまたがって前記ユーザデータが書き込まれた第２記録層のリードイン領域（LEAD-IN ZONE）であり、前記層が切り替わることを示すデータは、前記第１記録層のリードアウト領域に書き込まれるリードアウト（LEAD-OUT）データ及び前記第２記録層のリードイン領域に書き込まれるリードイン（LEAD-IN）データである。
【００１９】
したがって、ＰＴＰ方式の情報記録媒体に対するユーザデータの書き込み後に、第１記録層のリードアウト領域にリードアウトデータを書き込み、次に第２記録層のリードイン領域にリードインデータを書き込むことによって、ＰＴＰ方式の情報記録媒体において、記録層の切り替わりで、層が切り替わることを示すデータが書き込まれずにユーザデータが連続的に（２つの層にまたがって）書き込まれるため、記録層に対するユーザデータの書き込み処理の中断を防止することが可能になる。
【００２０】
請求項３記載の発明は、請求項１記載の情報記録方法において、前記情報記録媒体はオポジットトラックパス（ＯＴＰ）方式で記録される情報記録媒体であり、前記境界近傍領域は、前記ユーザデータが書き込まれた第１記録層のミドル領域（MIDDLE ZONE）及びその第１記録層にまたがって前記ユーザデータが書き込まれた第２記録層のミドル領域（MIDDLE ZONE）であり、前記層が切り替わることを示すデータは、前記第１記録層のミドル領域に書き込まれるミドル（MIDDLE）データ及び前記第２記録層のミドル領域に書き込まれるミドル（MIDDLE）データである。
【００２１】
したがって、ＯＴＰ方式の情報記録媒体に対するユーザデータの書き込み後に第１記録層のミドル領域及び第２記録層のミドル領域にミドルデータを書き込むことによって、ＯＴＰ方式の情報記録媒体において、記録層の切り替わりで、層が切り替わることを示すデータが書き込まれずにユーザデータが連続的に（２つの層にまたがって）書き込まれるため、記録層に対するユーザデータの書き込み処理の中断を防止することが可能になる。
【００２２】
請求項４記載の発明は、請求項１、２又は３記載の情報記録方法において、前記ユーザデータを書き込むステップでは、所定の記録層に対する前記ユーザデータの書き込み後に、次の書き込み対象である記録層のデータ領域（DATA ZONE）の直前にダミーデータを書き込む。
【００２３】
したがって、所定の記録層にユーザデータを書き込んだ後に次の書き込み対象である記録層のデータ領域（DATA ZONE）の直前にダミーデータを書き込むことによって、ＰＴＰ方式のリードイン（LEAD-IN）データ及びＯＴＰ方式のミドル（MIDDLE）データが書き込まれていない場合でも、例えばユーザデータを書き込みながら再生する追っかけ再生等を行う場合でも、次の記録層に書き込まれたユーザデータを所定のタイミングで読み出すことが可能になる。
【００２４】
請求項５記載の発明は、請求項１、２又は３記載の情報記録方法において、前記ユーザデータを書き込むステップでは、所定の記録層に対する前記ユーザデータの書き込み後に、次の書き込み対象である記録層のデータ領域（DATA ZONE）の先頭にダミーデータを書き込む。
【００２５】
したがって、所定の記録層にユーザデータを書き込んだ後に次の書き込み対象である記録層のデータ領域（DATA ZONE）の先頭にダミーデータを書き込むことによって、ＰＴＰ方式のリードイン（LEAD-IN）データ及びＯＴＰ方式のミドル（MIDDLE）データが書き込まれていない場合でも、例えばユーザデータを書き込みながら再生する追っかけ再生等を行う場合でも、次の記録層に書き込まれたユーザデータを所定のタイミングで読み出すことが可能になる。
【００２６】
請求項６記載の発明は、請求項１、２又は３記載の情報記録方法において、前記ユーザデータを書き込むステップでは、複数の記録層に対する前記ユーザデータの書き込み前に、書き込み対象である記録層のデータ領域（DATA ZONE）の直前にダミーデータを書き込む。
【００２７】
したがって、記録層に対するユーザデータの書き込み前にダミーデータを書き込むことによって、層の切り替えでダミーデータを書き込む時間を必要としなくなり、記録層に対するユーザデータの書き込み処理の中断を確実に防止することが可能になる。
【００２８】
請求項７記載の発明は、請求項１、２又は３記載の情報記録方法において、前記ユーザデータを書き込むステップでは、複数の記録層に対する前記ユーザデータの書き込み前に、書き込み対象である記録層のデータ領域（DATA ZONE）の先頭にダミーデータを書き込む。
【００２９】
したがって、記録層に対するユーザデータの書き込み前にダミーデータを書き込むことによって、層の切り替えでダミーデータを書き込む時間を必要としなくなり、記録層に対するユーザデータの書き込み処理の中断を確実に防止することが可能になる。
【００３０】
請求項８ないし請求項１４記載の情報記録装置、請求項１５ないし２１記載の情報記録用プログラム及び請求項２２記載の記憶媒体の発明も、請求項１ないし７記載の発明と同様な作用を奏する。
【発明の効果】
【００３２】
請求項１記載の発明の情報記録方法によれば、複数の記録層を有する情報記録媒体にデータを書き込む情報記録方法において、複数の前記記録層の境界近傍領域を空けて複数の前記記録層にまたがって（連続的に）ユーザデータを書き込むステップと、前記ユーザデータの書き込み後に前記境界近傍領域に層が切り替わることを示すデータを書き込むステップと、を具備することから、複数の記録層にまたがってユーザデータを書き込み、その後に記録層の境界近傍領域に層が切り替わることを示すデータを書き込むことによって、記録層の切り替わりで、層が切り替わることを示すデータが書き込まれずにユーザデータが連続的に書き込まれるため、記録層に対するユーザデータの書き込み処理の中断を防止することができる。
【００３３】
請求項２記載の発明によれば、請求項１記載の情報記録方法において、前記情報記録媒体はパラレルトラックパス（ＰＴＰ）方式で記録される情報記録媒体であり、前記境界近傍領域は、前記ユーザデータが書き込まれた第１記録層のリードアウト領域（LEAD-OUT ZONE）及びその第１記録層にまたがって前記ユーザデータが書き込まれた第２記録層のリードイン領域（LEAD-IN ZONE）であり、前記層が切り替わることを示すデータは、前記第１記録層のリードアウト領域に書き込まれるリードアウト（LEAD-OUT）データ及び前記第２記録層のリードイン領域に書き込まれるリードイン（LEAD-IN）データであることから、ＰＴＰ方式の情報記録媒体に対するユーザデータの書き込み後に、第１記録層のリードアウト領域にリードアウトデータを書き込み、次に第２記録層のリードイン領域にリードインデータを書き込むことによって、ＰＴＰ方式の情報記録媒体において、記録層の切り替わりで、層が切り替わることを示すデータが書き込まれずにユーザデータが連続的に（２つの層にまたがって）書き込まれるため、記録層に対するユーザデータの書き込み処理の中断を防止することができる。
【００３４】
請求項３記載の発明によれば、請求項１記載の情報記録方法において、前記情報記録媒体はオポジットトラックパス（ＯＴＰ）方式で記録される情報記録媒体であり、前記境界近傍領域は、前記ユーザデータが書き込まれた第１記録層のミドル領域（MIDDLE ZONE）及びその第１記録層にまたがって前記ユーザデータが書き込まれた第２記録層のミドル領域（MIDDLE ZONE）であり、前記層が切り替わることを示すデータは、前記第１記録層のミドル領域に書き込まれるミドル（MIDDLE）データ及び前記第２記録層のミドル領域に書き込まれるミドル（MIDDLE）データであることから、ＯＴＰ方式の情報記録媒体に対するユーザデータの書き込み後に第１記録層のミドル領域及び第２記録層のミドル領域にミドルデータを書き込むことによって、ＯＴＰ方式の情報記録媒体において、記録層の切り替わりで、層が切り替わることを示すデータが書き込まれずにユーザデータが連続的に（２つの層にまたがって）書き込まれるため、記録層に対するユーザデータの書き込み処理の中断を防止することができる。
【００３５】
請求項４記載の発明によれば、請求項１、２又は３記載の情報記録方法において、前記ユーザデータを書き込むステップでは、所定の記録層に対する前記ユーザデータの書き込み後に、次の書き込み対象である記録層のデータ領域（DATA ZONE）の直前にダミーデータを書き込むことから、ＰＴＰ方式のリードイン（LEAD-IN）データ及びＯＴＰ方式のミドル（MIDDLE）データが書き込まれていない場合でも、例えばユーザデータを書き込みながら再生する追っかけ再生等を行う場合でも、次の記録層に書き込まれたユーザデータを所定のタイミングで読み出すことができる。
【００３６】
請求項５記載の発明によれば、請求項１、２又は３記載の情報記録方法において、前記ユーザデータを書き込むステップでは、所定の記録層に対する前記ユーザデータの書き込み後に、次の書き込み対象である記録層のデータ領域（DATA ZONE）の先頭にダミーデータを書き込むことから、ＰＴＰ方式のリードイン（LEAD-IN）データ及びＯＴＰ方式のミドル（MIDDLE）データが書き込まれていない場合でも、例えばユーザデータを書き込みながら再生する追っかけ再生等を行う場合でも、次の記録層に書き込まれたユーザデータを所定のタイミングで読み出すことができる。
【００３７】
請求項６記載の発明によれば、請求項１、２又は３記載の情報記録方法において、前記ユーザデータを書き込むステップでは、複数の記録層に対する前記ユーザデータの書き込み前に、書き込み対象である記録層のデータ領域（DATA ZONE）の直前にダミーデータを書き込むことから、層の切り替えでダミーデータを書き込む時間を必要としなくなり、記録層に対するユーザデータの書き込み処理の中断を確実に防止することができる。
【００３８】
請求項７記載の発明によれば、請求項１、２又は３記載の情報記録方法において、前記ユーザデータを書き込むステップでは、複数の記録層に対する前記ユーザデータの書き込み前に、書き込み対象である記録層のデータ領域（DATA ZONE）の先頭にダミーデータを書き込むことから、層の切り替えでダミーデータを書き込む時間を必要としなくなり、記録層に対するユーザデータの書き込み処理の中断を確実に防止することができる。
【００３９】
請求項８ないし請求項１４記載の情報記録装置、請求項１５ないし２１記載の情報記録用プログラム及び請求項２２記載の記憶媒体の発明も、請求項１ないし７記載の発明と同様な効果を奏する。
【発明を実施するための最良の形態】
【００４０】
本発明の第１の実施の形態を図１ないし図４に基づいて説明する。図１は情報記録装置としての光ディスク装置１の概略構成を示すブロック図である。
【００４１】
光ディスク装置１は、情報記録媒体としての光ディスク２を回転駆動するためのスピンドルモータ３、光ピックアップ装置４、レーザコントロール回路５、モータドライバ６、再生信号処理回路７、サーボコントローラ８、バッファＲＡＭ９、バッファマネージャ１０、インターフェース１１、ＲＯＭ１２、ＣＰＵ１３及びＲＡＭ１４等を備えて構成されている。なお、図１中に示す矢印は代表的な信号や情報の流れを示すものであり、各ブロックの接続関係の全てを表すものではない。
【００４２】
また、光ディスク２としては、記録型の多層光ディスクであるＤＶＤが対象とされている。ここでは、２層の記録層を有する光ディスク２が対象になっている。
【００４３】
光ピックアップ装置４は、光源としての半導体レーザ、この半導体レーザから出射されるレーザ光を光ディスク２の記録面に導くとともに記録面で反射された戻り光を所定の受光位置まで導く対物レンズ等を含む光学系、受光位置に配置されて戻り光を受光する受光器、及び、駆動系（フォーカシングアクチュエータ、トラッキングアクチュエータ、シークモータ等）（何れも図示せず）などを含んで構成されている。受光器からは、受光量に応じた電流（電流信号）が再生信号処理回路７に出力される。
【００４４】
サーボコントローラ８では、フォーカスエラー信号に基づいて光ピックアップ装置４のフォーカシングアクチュエータを制御する制御信号を生成するとともに、トラックエラー信号に基づいて光ピックアップ装置４のトラッキングアクチュエータを制御する制御信号を生成する。これらの制御信号はサーボコントローラ８からモータドライバ６に出力される。
【００４５】
モータドライバ６では、サーボコントローラ８からの制御信号に基づいて光ピックアップ装置４のフォーカシングアクチュエータ及びトラッキングアクチュエータを駆動する。また、モータドライバ６では、ＣＰＵ１３の指示に基づいて、光ディスク２の線速度が一定となるようにスピンドルモータ３を制御する。さらに、モータドライバ６では、ＣＰＵ１３の指示に基づいて、光ピックアップ装置４用のシークモータを駆動し、光ピックアップ装置４を光ディスク２の目標トラックに向けて半径方向に移動させる。
【００４６】
インターフェース１１は、外部装置となるホスト（例えば、図２に示す情報処理装置としてのＰＣ１０１）との双方向の通信インターフェースであり、ＡＴＡＰＩ及びＳＣＳＩ等の標準インターフェースに準拠している。
【００４７】
ＣＰＵ１３は、ＲＯＭ１２、ＲＡＭ１４と共に光ディスク装置１が備えるマイクロコンピュータ（コンピュータ）を構成している。記憶媒体としても機能するＲＯＭ１２には、ＣＰＵ１３により解読可能なコードで記述された後述するような制御プログラムを含むプログラムが格納されている。ＣＰＵ１３は、ＲＯＭ１２に格納されているプログラムに従って上述の各部の動作を制御するとともに、制御に必要なデータ等を一時的にＲＡＭ１４に保存する。なお、光ディスク装置１の電源が投入されると、ＲＯＭ１２に格納されているプログラムは、ＣＰＵ１３のメインメモリ（図示せず）にロード（インストール）される。
【００４８】
次いで、情報処理装置としてのＰＣ１０１について説明する。ここでいうＰＣ１０１は、パーソナルコンピュータの略称である。図２は光ディスク装置１に接続されたＰＣ１０１の概略構成を示すブロック図である。
【００４９】
ＰＣ１０１は、ＲＯＭ１０２、ＲＡＭ１０３と共にマイクロコンピュータを構成するＣＰＵ１０４にバスライン１０５を介して各部が接続された構成を有している。ＲＯＭ１０２には固定データが固定的に記録され、ＲＡＭ１０３には可変データが可変自在に記録されている。このようなマイクロコンピュータにはＨＤＤ（ハードディスクドライブ）１０６、ＦＤＤ（フレキシブルディスクドライブ）１０７、ＣＤ−ＲＯＭドライブ１０８という記憶装置がバスライン１０５を介して接続されている。ＨＤＤ１０６にはＯＳ（オペレーティングシステム）や各種のアプリケーションプログラム等が格納されており、その一部は起動時にＲＡＭ１０３にコピーされ、ＣＰＵ１０４による各部の制御に供せられる。
【００５０】
ＣＰＵ１０４には、更に、ディスプレイ１０９、キーボードやマウス等からなる入力装置１１０、インターフェース１１１がバスライン１０５を介して接続され、そのインターフェース１１１を介して外部機器との接続が可能となっている。例えば、前述した光ディスク装置１も、インターフェース１１１を介してＰＣ１０１に接続されている。
【００５１】
このような構成において、ＣＰＵ１３がＲＯＭ１２に格納されたプログラムに基づいて実行する書き込み処理について図３、図４、図１２及び図１３を参照して説明する。ここで、書き込み処理により光ディスク２に書き込まれるユーザデータは、例えば、音声データや映像データ等から構成されるビデオデータである（他の実施の形態でも同様である）。
【００５２】
図３は本実施の形態のＰＴＰ方式の書き込み処理の流れを示すフローチャートである。ＰＴＰ方式の書き込み処理により光ディスク２にデータを書き込む情報記録方法について説明する（図１２参照）。図３に示すように、ＣＰＵ１３は、まず、１層目の記録層（第１記録層）に対するユーザデータの書き込み処理を行う（ステップＳ１）。ユーザデータは１層目のデータ領域（DATA ZONE）に書き込まれる。その後、１層目の記録層に対するユーザデータの書き込み処理に連続して、２層目の記録層（第２記録層）に対するユーザデータの書き込み処理を行う（Ｓ２）。ユーザデータは、１層目のデータ領域（DATA ZONE）に書き込まれたユーザデータに続いて、２層目のデータ領域（DATA ZONE）に書き込まれる。すなわち、ユーザデータは１層目の記録層と２層目の記録層とにまたがって書き込まれる。そして、２層目の記録層に対するユーザデータの書き込み終了後、１層目の記録層に対してリードアウト（LEAD-OUT）データを書き込み、２層目の記録層に対してリードイン（LEAD-IN）データを書き込む（Ｓ３）。リードアウト（LEAD-OUT）データは１層目のリードアウト領域（LEAD-OUT ZONE）に書き込まれ、リードイン（LEAD-IN）データは２層目のリードイン領域（LEAD-IN ZONE）に書き込まれる。その後、あるいは、同時に、リードイン（LEAD-IN）データは１層目のリードイン領域（LEAD-IN ZONE）に書き込まれ、リードアウト（LEAD-OUT）データは２層目のリードアウト領域（LEAD-OUT ZONE）に書き込まれる。ここで、１層目の記録層のリードアウト領域及び２層目の記録層のリードイン領域が境界近傍領域として機能し、リードアウト及びリードインデータが、層が切り替わることを示すデータとして機能する。
【００５３】
図４は本実施の形態のＯＴＰ方式の書き込み処理の流れを示すフローチャートである。ＯＴＰ方式の書き込み処理により光ディスク２にデータを書き込む情報記録方法について説明する（図１３参照）。図４に示すように、ＣＰＵ１３は、まず、１層目の記録層に対するユーザデータの書き込み処理を行う（ステップＳ１１）。ユーザデータは１層目のデータ領域（DATA ZONE）に書き込まれる。その後、１層目の記録層に対するユーザデータの書き込み処理に連続して、２層目の記録層に対するユーザデータの書き込み処理を行う（Ｓ１２）。ユーザデータは、１層目のデータ領域（DATA ZONE）に書き込まれたユーザデータに続いて、２層目のデータ領域（DATA ZONE）に書き込まれる。すなわち、ユーザデータは１層目の記録層と２層目の記録層とにまたがって書き込まれる。そして、２層目の記録層に対するユーザデータの書き込み終了後、１層目の記録層に対してミドル（MIDDLE）データを書き込み、２層目の記録層に対してミドル（MIDDLE）データを書き込む（Ｓ１３）。ミドル（MIDDLE）データは１層目のミドル領域（MIDDLE ZONE）及び２層目のミドル領域（MIDDLE ZONE）に書き込まれる。その後、あるいは、同時に、リードイン（LEAD-IN）データは１層目のリードイン領域（LEAD-IN ZONE）に書き込まれ、リードアウト（LEAD-OUT）データは２層目のリードアウト領域（LEAD-OUT ZONE）に書き込まれる。ここで、１層目の記録層のミドル領域及び２層目の記録層のミドル領域が境界近傍領域として機能し、ミドルデータが、層が切り替わることを示すデータとして機能する。
【００５４】
このように本実施の形態においては、１層目及び２層目のデータ領域（DATA ZONE）に連続的に（２つの層にまたがって）ユーザデータを書き込んだ後、ユーザデータ以外のデータ（例えば、リードイン（LEAD-IN）データ、リードアウト（LEAD-OUT）データやミドル（MIDDLE）データ等）を書き込むことによって、１層目から２層目への記録層の切り替わりでユーザデータ以外のデータが書き込まれずにユーザデータが連続的に書き込まれるため、記録層に対するユーザデータの書き込み処理の中断を防止することができる。
【００５５】
なお、上述したような制御処理は、一例として、光ディスク装置１のＲＯＭ１２にファームウェアとして記録されているコンピュータプログラムに従い光ディスク装置１のＣＰＵ１３よって実行される。この場合、ＲＯＭ１２は、コンピュータプログラムを記憶する記憶媒体となる。
【００５６】
また、これに限らず、ＰＣ１０１の例えばＨＤＤ１０６に格納されてＰＣ１０１の起動時にそのＲＡＭ１０３にコピーされたコンピュータプログラムに従いＰＣ１０１のＣＰＵ１０４が光ディスク装置１に動作命令を送信することにより実行されるように構築されていても良い（他の実施の形態でも同様である）。この場合、ＰＣ１０１のＲＡＭ１０３にコピーされるそのコンピュータプログラムは、アプリケーションプログラムという形式でＨＤＤ１０６に格納されていても、ＯＳに組み込まれていても良い。そして、そのようなアプリケーションプログラムがＨＤＤ１０６に格納される場合には、そのようなアプリケーションプログラムは、一例として、ＦＤやＣＤ−ＲＯＭ等のような記録媒体に記録されて流通し、ＰＣ１０１のＦＤＤ１０７やＣＤ−ＲＯＭドライブ１０８で読み取られてＨＤＤ１０６に格納される。したがって、ここで例示した例で言えば、ＨＤＤ１０６、ＲＡＭ１０３、ＦＤ、ＣＤ−ＲＯＭは、コンピュータプログラムを記憶する記憶媒体となる。
【００５７】
以上説明した２つの例では、光ディスク装置１とＰＣ１０１とのいずれか一方が、本実施の形態に特有の図３及び図４に示すフローチャートに従い処理を実行するコンピュータとなる例を示したが、これに限ることなく、そのような処理は光ディスク装置１とＰＣ１０１との両方に分散されて設置されるコンピュータプログラムに従い実行されるようにシステム構築されていても良い。いずれにしても、ＰＣ１０１側で制御処理の全部又は一部を実行する場合には、光ディスク装置１が図３及び図４に例示するような処理を実行可能にするコンピュータプログラムがＰＣ１０１にインストールされていることになる。
【００５８】
本発明の第２の実施の形態を図５ないし図１１に基づいて説明する。なお、本実施の形態と第１の実施の形態との同一部分は、同一符号で示し、説明も省略する。
【００５９】
本実施の形態の基本的構造は、第１の実施の形態と略同じである。本実施の形態と第１の実施の形態との相違点は、書き込み処理の流れが異なることである。ここでは、書き込み処理により光ディスク２にデータを書き込む情報記録方法について説明する。
【００６０】
図５は本実施の形態の書き込み処理の流れを示すフローチャート、図６は本実施の形態におけるＰＴＰ方式でのダミーデータの書き込み位置を概略的に示す説明図、図７は本実施の形態におけるＯＴＰ方式でのダミーデータの書き込み位置を概略的に示す説明図である。なお、図６及び図７においては、図中左側が光ディスク２の内周側であり、図中右側が光ディスク２の外周側である。
【００６１】
図５に示すように、ＣＰＵ１３は、まず、１層目の記録層に対するユーザデータの書き込み処理を行う（ステップＳ２１）。その後、２層目のデータ領域（DATA ZONE）の直前に所定量のダミーデータ（図６中及び図７中のクロスハッチング部分）を書き込む（Ｓ２２）。例えば、図６及び図７に示すように、所定量のダミーデータはデータ領域（DATA ZONE）の直前に書き込まれる。所定量のダミーデータの書き込み終了後、２層目の記録層に対するユーザデータの書き込み処理を行う（Ｓ２３）。なお、ユーザデータは、１層目の記録層と２層目の記録層とにまたがって書き込まれる。そして、ＣＰＵ１３は、２層目の記録層に対するユーザデータの書き込み終了後、ＰＴＰ方式であれば図３のステップＳ３を行い、ＯＴＰ方式であれば図４のステップＳ３を行う。
【００６２】
図８は本実施の形態の変形例１の書き込み処理の流れを示すフローチャート、図９は変形例１におけるＰＴＰ方式でのダミーデータの書き込み位置を概略的に示す説明図、図１０は変形例１におけるＯＴＰ方式でのダミーデータの書き込み位置を概略的に示す説明図である。なお、図９及び図１０においては、図中左側が光ディスク２の内周側であり、図中右側が光ディスク２の外周側である。
【００６３】
図８に示すように、ＣＰＵ１３は、まず、１層目の記録層に対するユーザデータの書き込み処理を行う（ステップＳ３１）。その後、２層目のデータ領域（DATA ZONE）の先頭に所定量のダミーデータ（図９中及び図１０中のクロスハッチング部分）を書き込む（Ｓ３２）。例えば、図９及び図１０に示すように、所定量のダミーデータはデータ領域（DATA ZONE）の先頭に書き込まれる。所定量のダミーデータの書き込み終了後、２層目の記録層に対するユーザデータの書き込み処理を行う（Ｓ３３）。詳しくは、所定量のダミーデータを書き込み後、ユーザデータの書き込み開始位置をダミーデータ分移動して、ユーザデータを書き込む。なお、ユーザデータは、１層目の記録層と２層目の記録層とにまたがって書き込まれる。そして、ＣＰＵ１３は、２層目の記録層に対するユーザデータの書き込み終了後、ＰＴＰ方式であれば図３のステップＳ３を行い、ＯＴＰ方式であれば図４のステップＳ３を行う。
【００６４】
このように本実施の形態及び本実施の形態の変形例１においては、１層目の記録層にユーザデータを書き込んだ後に、２層目の記録層に書き込むユーザデータの直前又は先頭にダミーデータを書き込むことによって、ＰＴＰ方式のリードイン（LEAD-IN）データ及びＯＴＰ方式のミドル（MIDDLE）データが書き込まれていない場合、例えばユーザデータを書き込みながら再生する追っかけ再生等を行う場合でも、２層目の記録層に書き込まれたユーザデータを所定のタイミングで読み出すことができる。
【００６５】
図１１は本実施の形態の変形例２の書き込み処理の流れを示すフローチャートである。図１１に示すように、ＣＰＵ１３は、まず、２層目のデータ領域（DATA ZONE）の直前に、又は、２層目のデータ領域（DATA ZONE）の先頭に、所定量のダミーデータ（図６、図７、図９及び図１０参照）を書き込む（Ｓ４１）。その後、１層目の記録層に対するユーザデータの書き込み処理を行い（Ｓ４２）、２層目の記録層に対するユーザデータの書き込み処理を行う（Ｓ４３）。そして、ＣＰＵ１３は、２層目の記録層に対するユーザデータの書き込み終了後、ＰＴＰ方式であれば図３のステップＳ３を行い、ＯＴＰ方式であれば図４のステップＳ３を行う。
【００６６】
このように本実施の形態の変形例２においては、記録層に対するユーザデータの書き込み前にダミーデータを書き込むことによって、層の切り替えでダミーデータを書き込む時間を必要としなくなり、記録層に対するユーザデータの書き込み処理の中断を確実に防止することができる。
【図面の簡単な説明】
【００６７】
【図１】本発明の第１の実施の形態の情報記録装置としての光ディスク装置の概略構成を示すブロック図である。
【図２】光ディスク装置に接続されたＰＣの概略構成を示すブロック図である。
【図３】本発明の第１の実施の形態のＰＴＰ方式の書き込み処理の流れを示すフローチャートである。
【図４】本発明の第１の実施の形態のＯＴＰ方式の書き込み処理の流れを示すフローチャートである。
【図５】本発明の第２の実施の形態の書き込み処理の流れを示すフローチャートである。
【図６】本発明の第２の実施の形態におけるＰＴＰ方式でのダミーデータの書き込み位置を概略的に示す説明図である。
【図７】本発明の第２の実施の形態におけるＯＴＰ方式でのダミーデータの書き込み位置を概略的に示す説明図である。
【図８】本発明の第２の実施の形態の変形例１の書き込み処理の流れを示すフローチャートである。
【図９】変形例１におけるＰＴＰ方式でのダミーデータの書き込み位置を概略的に示す説明図である。
【図１０】変形例１におけるＯＴＰ方式でのダミーデータの書き込み位置を概略的に示す説明図である。
【図１１】本発明の第２の実施の形態の変形例２の書き込み処理の流れを示すフローチャートである。
【図１２】ＰＴＰ方式による記録型２層ＤＶＤの論理フォーマットを概略的に示す説明図である。
【図１３】ＯＴＰ方式による記録型２層ＤＶＤの論理フォーマットを概略的に示す説明図である。
【符号の説明】
【００６８】
１    情報記録装置（光ディスク装置）
２    情報記録媒体（光ディスク）
【要約】
【課題】  情報記録方法において、記録層に対するユーザデータの書き込み処理の中断を防止する。
【解決手段】  複数の記録層を有する情報記録媒体にデータを書き込む情報記録方法において、複数の記録層にまたがってユーザデータを書き込み（Ｓ１及びＳ２）、ユーザデータの書き込み後に記録層の所定領域にユーザデータ以外のデータを書き込むようにした（Ｓ３）。これにより、記録層の切り替わりでユーザデータ以外のデータが書き込まれずにユーザデータが連続的に書き込まれるため、記録層に対するユーザデータの書き込み処理の中断を防止することができる。
【選択図】    図３
【図１】
0003584033.tif 000002
【図２】
0003584033.tif 000003
【図３】
0003584033.tif 000004
【図４】
0003584033.tif 000005
【図５】
0003584033.tif 000006
【図６】
0003584033.tif 000007
【図７】
0003584033.tif 000008
【図８】
0003584033.tif 000009
【図９】
0003584033.tif 000010
【図１０】
0003584033.tif 000011
【図１１】
0003584033.tif 000012
【図１２】
0003584033.tif 000013
【図１３】
0003584033.tif 000014